(57)【要約】【課題】シートが引き出されて軽くなった場合でも、ロール状シートが容器本体の内部で動き易くなるのを抑制し、シートを容器の外にスムーズに取り出すことを可能にするシート収納容器を提供する。【解決手段】シート２０ａを巻回してなるロール状シート２０が収納される容器本体１１と、容器本体１１の上端開口を覆って容器本体１１に着脱可能に装着され、シート１１ａを取り出すための取出部１３を有する蓋体１２とを含んで構成されるシート収納容器１０である。取出部１３には、シート止めスリット１３ａが形成されており、蓋体１２には、内側から容器本体１１側に突出して、ロール状シート２０の上端面２０ｂを当接可能な環状当接リブ１６が、取出部１３の外周部分を囲んで設けられている。シート止めスリット１３ａが形成された取出部１３は、その中心位置Ｃ1を、容器本体１１の中心位置Ｃ2から偏心させた状態で設けられている。【選択図】図２
2020200057.tif 000002
【特許請求の範囲】
【請求項１】
シートをロール状に巻回してなるロール状シートが収納される有底筒形状の容器本体と、該容器本体の上端開口を覆って該容器本体に着脱可能に装着され、上面部にシートを取り出すための取出部を有する蓋体とを含んで構成されるシート収納容器であって、
前記蓋体の前記取出部には、シート止めスリットが形成されており、前記蓋体には、内側から前記容器本体側に突出して、前記ロール状シートの上端面を当接させることが可能な環状当接リブが、前記取出部の外周部分を囲んで設けられており、
前記シート止めスリットが形成された前記取出部は、その中心位置を、前記容器本体の中心位置から偏心させた状態で設けられているシート収納容器。
【請求項２】
前記環状当接リブは、前記容器本体及び前記蓋体と同心状に配置されて設けられている請求項１記載のシート収納容器。
【請求項３】
前記容器本体は、有底円筒形状を備えており、前記環状当接リブは、円環形状を備えている請求項１又は２記載のシート収納容器。
【請求項４】
前記環状当接リブは、前記蓋体が前記容器本体に装着された状態で、前記容器本体の上端開口を超えない高さで前記蓋体の上面部の内側から前記容器本体側に突出して設けられている請求項１〜３のいずれか１項記載のシート収納容器。
【請求項５】
前記シート止めスリットが形成された前記取出部は、その中心位置を、前記容器本体の中心位置から、前記環状当接リブの内径の３〜２５％の偏心量で偏心させた状態で設けられている請求項１〜４のいずれか１項記載のシート収納容器。
【請求項６】
前記環状当接リブは、前記容器本体の中心位置から、前記ロール状シートの半径の１／２以上、径方向に離れた領域に設けられている請求項１〜５のいずれか１項記載のシート収納容器。
【発明の詳細な説明】
【技術分野】
【０００１】
本発明は、シート収納容器に関し、特に、ロール状シートが収納される容器本体と、シートを取り出すための取出部を有する蓋体とを含んで構成されるシート収納容器に関する。
【背景技術】
【０００２】
例えばウェットシート等のシートをロール状に巻回してなるロール状シートが収納されるシート収納容器として、有底円筒形状の容器本体と、容器本体の上端開口を覆って容器本体に着脱可能に装着される、蓋体とからなる容器が知られている（例えば、特許文献１参照）。このようなシート収納容器では、蓋体に、公知のシート止めスリットが形成された取出部が設けられている。シートは、帯状に連続して延設する当該シートを巻回して形成された、円柱形状のロール状シートの中央の中空芯部において、最内側層のシートから順次引き剥がされるようにして、蓋体側に連続して引き出されると共に、取出部に形成されたシート止めスリットを介して容器の外に取り出され、当該シートに設けられたミシン目等の部分で切り離されて、端部をシート止めスリットに保持させた状態で、一枚一枚の単位シートとして用いられることになる。
【先行技術文献】
【特許文献】
【０００３】
【特許文献１】特開２０１３−２２７０４６号公報
【発明の概要】
【発明が解決しようとする課題】
【０００４】
従来のシート収納容器では、ロール状シートからシートを引き出し始めた初期の段階では、ロール状シートが相当の重量を保持しているので、中央の中空芯部において最内側層のシートから順次連続して引き剥がす際の抵抗力をロール状シートによって安定して支持して、スムーズに蓋体側に引き出すことが可能であるが、例えばある程度の量のシートが引き出されて、ロール状シートが軽くなったり中空芯部の内径が大きくなったりすると、最内側層のシートを引き剥がす際の抵抗力を安定して支持することが難しくなって、ロール状シートが容器本体の内部で動き易くなると共に、中空芯部から、例えば複数層に重ね合わされたままの状態で内側層のシートがまとめて引き出されることにより、シート止めスリットの部分で詰まり易くなって、シートを容器の外にスムーズに取り出すことが困難になる場合がある。
【０００５】
本発明は、容器本体に収容されたロール状シートからある程度の量のシートが引き出されて、ロール状シートか軽くなった場合でも、ロール状シートが容器本体の内部で動き易くなるのを効果的に抑制すると共に、中空芯部から、内側層のシートが複数層に重ね合わされたままの状態でまとめて引き出されるのを回避して、シートを容器の外にスムーズに取り出すことのできるシート収納容器を提供することを目的とする。
【課題を解決するための手段】
【０００６】
本発明は、シートをロール状に巻回してなるロール状シートが収納される有底筒形状の容器本体と、該容器本体の上端開口を覆って該容器本体に着脱可能に装着され、上面部にシートを取り出すための取出部を有する蓋体とを含んで構成されるシート収納容器であって、前記蓋体の前記取出部には、シート止めスリットが形成されており、前記蓋体には、内側から前記容器本体側に突出して、前記ロール状シートの上端面を当接させることが可能な環状当接リブが、前記取出部の外周部分を囲んで設けられており、前記シート止めスリットが形成された前記取出部は、その中心位置を、前記容器本体の中心位置から偏心させた状態で設けられているシート収納容器を提供することにより、上記目的を達成したものである。
【発明の効果】
【０００７】
本発明のシート収納容器によれば、容器本体に収容されたロール状シートからある程度の量のシートが引き出されて、ロール状シートか軽くなった場合でも、ロール状シートが容器本体の内部で動き易くなるのを効果的に抑制して、シートを容器の外にスムーズに取り出すことができる。
【図面の簡単な説明】
【０００８】
【図１】本発明の好ましい一実施形態に係るシート収納容器の斜視図である。
【図２】本発明の好ましい一実施形態に係るシート収納容器の縦断面図である。
【図３】本発明の好ましい一実施形態に係るシート収納容器を構成する蓋体の、（ａ）は上蓋を外した状態の平面図、（ｂ）は（ａ）のＡ−Ａ線断面図、（ｃ）は（ａ）のＢ−Ｂ線断面図、（ｄ）は底面図である。
【図４】シートを取り出す際の蓋体による作用を説明する、（ａ）略示縦断面図、（ｂ）は模式図である。
【図５】シートを取り出す際の蓋体による作用を説明する、（ａ）略示縦断面図、（ｂ）は模式図である。
【発明を実施するための形態】
【０００９】
図１及び図２に示す本発明の好ましい一実施形態に係るシート収納容器１０は、例えば不織布からなるシートが、洗浄液等の液体成分を含侵した状態でロール状に巻回されているロール状シート２０を、容器本体１１に収容している。シート収納容器１０は、蓋体１２に設けられた取出部１３（図２参照）を介して、収容したロール状シート２０からシート（ウェットシート２０ａ）を容器の外に連続して取り出すことを可能にすると共に（図４（ａ）、（ｂ）参照）、取り出したウェットシート２０ａを、例えば予め設けられているミシン目等で切り離して、一枚一枚の単位シートとして使用できるようにする容器として用いられる。洗浄液としては、水、抗菌成分、界面活性剤等が含まれている。本実施形態のシート収納容器１０は、ある程度の量のウェットシート２０ａが使用されて、ロール状シート２０が軽くなった場合でも（図５（ａ）、（ｂ）参照）、ロール状シート２０が容器本体１１の内部で動き易くなるのを抑制すると共に、ロール状シート２０の中央の中空芯部２１から、内側層のウェットシート２０ａが複数層に重ね合わされたままの状態でまとめて引き出されるのを回避して、ウェットシート２０ａを収納容器１０の外にスムーズに取り出すことができるようにする機能を備えている。
【００１０】
そして、本実施形態のシート収納容器１０は、図１及び図２に示すように、シートとして、好ましくはウェットシート２０ａをロール状に巻回してなるロール状シート２０が収納される有底筒形状の容器本体１１と、容器本体１１の上端開口を覆って容器本体１１に着脱可能に装着され、上面部１２ａにウェットシート１１ａを取り出すための取出部１３を有する蓋体１２とを含んで構成される容器である。蓋体１２の取出部１３には、シート止めスリット１３ａが形成されており、蓋体１２には、内側から容器本体１１側に突出して、ロール状シート２０の上端面２０ｂを当接させることが可能な環状当接リブ１６が、取出部１３の外周部分を囲んで設けられている。シート止めスリット１３ａが形成された取出部１３は、その中心位置Ｃ1を、容器本体１１の中心位置Ｃ2から偏心させた状態で設けられている。
【００１１】
また、本実施形態では、シート収納容器１０は、好ましくは、容器本体１１が有底円筒形状を備えており、環状当接リブ１４は円環形状を備えている。
【００１２】
本実施形態では、ロール状シート２０を形成するウェットシート２０ａは、延設方向と垂直な横幅が例えば１００〜１７０ｍｍ程度（本実施形態では、１３５ｍｍ）の、帯状に連続して延設するシートとなっており、ロール状に巻回されることによってロール状シート２０が形成される。ロール状シート２０は、例えば直径が５０〜１００ｍｍ程度（本実施形態では、７０ｍｍ）、高さが１００〜１７０ｍｍ程度（本実施形態では、１３５ｍｍ）の、容器本体１１に収容可能な大きさの円柱形状を有している。ロール状シート２０の高さは、ウェットシート２０ａの横幅に相当する。円柱形状のロール状シート２０は、これの中央部分に、両側の端面の間を貫通するようにして中空芯部２１（図４（ａ）、図５（ａ）参照）を残置した状態で、ロール状に巻回されている。この中空芯部２１を介して、ウェットシート２０ａを、最内側層のものから順次引き剥がして、蓋体１２側に連続して引き出すことができるようになっている。帯状に連続して延設するウェットシート２０ａには、延設方向において例えば１１０〜１８０ｍｍ程度（本実施形態では、１５０ｍｍ）の所定の間隔毎に、ミシン目等による切り離し案内線（図示せず）が、横幅方向を横断して形成されている。ロール状シート２０の中空芯部２１から引き出されたウェットシート２０ａは、取出部１３に形成されたシート止めスリット１３ａを介して収納容器１０の外に取り出され、ミシン目等による切り離し案内線よりも容器本体１１側の部分をシート止めスリット１３ａに保持させた状態で、ミシン目等による切り離し案内線の部分で切り離されて、例えば１１０〜１８０ｍｍ程度（本実施形態では、１５０ｍｍ）の長さを有する一枚一枚の単位シートとして用いられることになる。
【００１３】
ロール状シート２０を収容する容器本体１１は、例えばポリエチレン、ポリプロピレン等のポリオレフィンやポリエチレンテレフタレート等のポリエステル等を用いたブロー成形品となっている。容器本体１１は、図１及び図２に示すように、好ましくは外径が６０〜１５０ｍｍ程度（本実施形態では、９７ｍｍ）の大きさの有底の円筒形状を備えており、また例えば１１０〜２００ｍｍ程度（本実施形態では、１６０ｍｍ）の高さを有している。容器本体１１は、上端部に、段部１１ｂを介して僅かに縮径した装着筒部１１ａを備えており、この装着筒部１１ａの外周面には、後述する蓋体１２を着脱可能に螺着させるための雄ネジ凸条１１ｃが設けられている。装着筒部１１ａの上端開口は、容器本体１１の内部にロール状シート２０を収納させるための収納口となっている。シート収納容器１０の流通、販売時や、使用前の状態では、容器本体１１に収納されたロール状シート２０から、ウェットシート２０ａに含侵した液体成分を揮散させないように、装着筒部１１ａの上端開口は、アルミ箔等（図示せず）で覆って閉塞しておくことができる。例えば消費者は、蓋体１２を容器本体１１から一旦取り外した後に、装着筒部１１ａの上端開口からアルミ箔等を除去し、ロール状シート２０から引き出したウェットシート２０ａの端部を、取出部１３のシート止めスリット１３ａを介して取出部１３の外側に臨ませて、蓋体１２を容器本体１１に再び装着することにより、ウェットシート２０ａを容器の外に取り出して使用可能な状態とすることができる。
【００１４】
容器本体１１に着脱可能に一体として装着される蓋体１２は、例えばポリエチレン、ポリプロピレン等のポリオレフィンやポリエチレンテレフタレート等のポリエステル等を用いた射出成形品となっている。蓋体１２は、図３（ａ）〜（ｄ）にも示すように、容器本体１１の装着筒部１１ａに装着される装着スリーブ部１２ｃと、縮径部１２ｂと、上面部１２ａとを含んで構成される。装着スリーブ部１２ｃは、容器本体１１の外径と同様の外径を有する円環帯状の部分であり、縮径部１２ｂは、装着スリーブ部１２ｃの上端部から上方の上面部１２ａに向けて滑らかに縮径する部分である。縮径部１２ｂの上端部分の上面部１２ａとの接続部分には、上端を頂部とする三角形の断面形状を備える周壁部１２ｄが、上面部１２ａの略全周に亘って連続して設けられている。本実施形態では、周壁部１２ｄの上端部に、蓋体１２の取出部１３を覆う上蓋１４が、着脱可能に装着される（図１、図２参照）。
【００１５】
装着スリーブ部１２ｃは、容器本体１１の装着筒部１１ａに螺着される部分であって、容器本体１１の胴部の外径と同様の外径を有すると共に、装着筒部１１ａと同様の高さを有している。装着スリーブ部１２ｃの内周面には、雌ネジ凸条１２ｅが設けられている。この雌ネジ凸条１２ｅを、容器本体１１の装着筒部１１ａの雄ネジ凸条１１ｃに螺合することによって、蓋体１２を、容器本体１１に着脱可能に一体として装着することができる。
【００１６】
縮径部１２ｂは、装着スリーブ部１２ｃの上端部から上方の上面部１２ａに向けて滑らかに縮径する部分となっている。縮径部１２ｂが設けられていることにより、シート収納容器１０の全体の意匠性を向上させている。
【００１７】
周壁部１２ｄは、上面部１２ａの周囲を囲むようにして、円環形状に延設する部分となっており、縮径部１２ｂの上端部に連なる斜辺部と、上面部１２ａの周縁部から立設する立設部とからなる、三角形の断面形状を有している（図３（ｃ）参照）。周壁部１２ｄの上端部には、上蓋１４の係合リブ１４ｃ（図２参照）を係合させるための係合凸部１２ｆが設けられている。
【００１８】
上蓋１４は、図１及び図２に示すように、周壁部１２ｄの上端部の外側に嵌め込むようにして装着可能な、周壁部１２ｄの外径と同様の内径を備える円形状の部分となっている。上蓋１４は、円形の天面部１４ａと天面部１４ａの周縁部から下方に突出して設けられた装着スカート部１４ｂとからなる。装着スカート部１４ｂの内側面から環状に突出して、係合リブ１４ｃが設けられている。上蓋１４は、装着スカート部１４ｂを弾性変形させつつ周壁部１２ｄの上端部に上方から押し込むようにして、係合リブ１４ｃを周壁部１２ｄの上端部の係合凸部１２ｆに係合させることにより、蓋体１２の取出部１３を覆って着脱可能に取り付けることができる。
【００１９】
また、上蓋１４には、下面側から突出して、同心状に２重に配置された、内側係止リング１４ｄ及び外側係止リング１４ｅが設けられている。取出部１３を覆って上蓋１４が装着された際に、これらの内側係止リング１４ｄ及び外側係止リング１４ｅが、蓋体１２の上面部１２ａから外側に突出して取出部１３の外周部分を囲んで環状に設けられた、封止リング１７の上端部に、当該上端部を挟み込むようにして係止される。これによって、シート収納容器１０の非使用時に、取出部１３の上方空間を封止して、ウェットシート２０ａやロール状シート２０に含侵した液体成分が揮散するのを、効果的に回避することが可能になる。
【００２０】
そして、本実施形態では、図３（ａ）〜（ｄ）に示すように、好ましくは周壁部１２ｄによって周囲を囲まれる蓋体１２の上面部１２ａには、ウェットシート１１ａを取り出すための、シート止めスリット１３ａが形成された取出部１３が設けられている。また蓋体１２の好ましくは上面部１２ａの内側から容器本体１１側に突出して、ロール状シート２０の上端面２０ｂを当接させることが可能な環状当接リブ１６が、取出部１３の外周部分を囲んで設けられている。環状当接リブ１６は、蓋体１２の縮径部１２ｂの内側から容器本体１１側に突出して設けることもできる。
【００２１】
取出部１３は、その中心位置Ｃ1を、容器本体１１の中心位置Ｃ2から偏心させた状態で設けられた、取出開口１３ｂを含んで構成されている。本実施形態では、取出部１３の中心位置Ｃ1は、容器本体１１の中心位置Ｃ2から偏心させた状態で設けられている。上面部１２ａの内側には、取出開口１３ｂの周囲を囲うようにして当該取出開口１３ｂと同心状に配置された、環状のスリット部材係止リブ１３ｃが、容器本体１１側に突出して設けられている。このスリット部材係止リブ１３ｃに嵌め込むようにして、公知の例えばエラストマー材料からなるスリット形成部材１３ｄが装着固定されることによって、シート止めスリット１３ａが取出部１３に形成される。
【００２２】
環状当接リブ１６は、好ましくは円環形状を備えるリブとなっており、好ましくは容器本体１１に収納される円柱形状のロール状シート２０の直径よりも小さく、且つロール状シート２０の直径の１／２よりも大きな外径を有するように形成される。これによって環状当接リブ１６は、好ましくは容器本体１１の中心位置から、ロール状シート２０の半径の１／２以上、径方向に離れた領域に設けることが可能になる。環状当接リブ１６が、容器本体１１の中心位置から、ロール状シート２０の半径の１／２以上、径方向に離れた領域に設けられることにより、未使用時の状態からロール状シート２０が消費されることで中空芯部２１が大きくなった場合でも、確実に環状当接リブ１６の下端にロール状シート２０の上端面２０ｂを接触（当接）させることが可能になる。
【００２３】
また、環状当接リブ１６は、容器本体１１及び蓋体１２と同心状に配置されて設けられていることが好ましい。環状当接リブ１６が、容器本体１１及び蓋体１２と同心状に配置されて設けられていることにより、ロール状シート２０の上端面２０ｂを環状当接リブ１６の下端に全周に亘って接触させ易くすることが可能になる。
【００２４】
さらに、環状当接リブ１６は、蓋体１２が容器本体１１に装着された状態で（図２参照）、容器本体１１の装着筒部１１ａによる上端開口を超えない高さで、蓋体１２の上面部１２ａの内側から容器本体１１側に突出して設けられていることが好ましい。これによって、シート収納容器１０の流通、販売時や、使用前に、ロール状シート２０のウェットシート２０ａに含侵した液体成分の揮散を防止するために取り付けられた、装着筒部１１ａの上端開口を覆うアルミ箔等を傷付けることなく、蓋体１２を容器本体１１に装着することが可能になる。容器本体１１の装着筒部１１ａによる上端開口と、環状当接リブ１６の下端部との間の隙間は、２〜１０ｍｍに保持しておくことが好ましい。環状当接リブ１６の厚さは、ロール状シート２０を形成するウェットシート２０ａの厚さよりも大きくなっていることが好ましく、例えば１ｍｍ程度となっていることが好ましい。環状当接リブ１６の下端の位置は、全周に亘って同じ高さ位置となっていることが好ましい。これによって、ロール状シート２０の上端面２０ｂを安定した状態で支持して、ロール状シート２０が持ち上ろうとするのを押えることが可能になる。また、環状当接リブ１６の下端が容器本体１１の装着筒部１１ａによる上端開口まで届いていないことで、中空芯部２１から引き出したウェットシート２０ａを、取出開口１３ｂに至るまで、環状当接リブ１６に接触し難くすることが可能になる。これによって、引き出し途中のウェットシート２０ａが、環状当接リブ１６との接触抵抗によって、意図せずにミシン目等による切り離し案内線の部分で切り離されるのを、効果的に回避することが可能になる。
【００２５】
そして、本実施形態では、蓋体１２の上面部１２ａのシート止めスリット１３ａが形成された取出部１３は、その中心位置Ｃ1を、容器本体１１の中心位置Ｃ2から偏心させた状態で設けられている。取出部１３が、その中心位置Ｃ1を、容器本体１１中心位置Ｃ2から偏心させた状態で設けられていることにより、後述するように、中空芯部２１において内層側のウェットシート２０ａに全面で張り付いているシートを、シートの上部に張り付いている端部から順次内側方向に引き剥がすようにしながら、斜めに引っ張り出すことが可能になって、ウェットシート２０ａをスムーズに取り出すことが可能になる。このような観点から、取出部１３は、その中心位置Ｃ1を、容器本体１１の中心位置Ｃ2から、環状当接リブ１６の内径の３〜２５％の偏心量で偏心させた状態で設けられていることが好ましく、環状当接リブ１６の内径の３〜１５％の偏心量で偏心させた状態で設けられていることがより好ましく、環状当接リブ１６の内径の５〜１０％の偏心量で偏心させた状態で設けられていることがさらに好ましい。
【００２６】
本実施形態のシート収納容器１０では、上述のように、例えば消費者は、蓋体１２を容器本体１１から一旦取り外した後に、装着筒部１１ａの上端開口からアルミ箔等を除去し、ロール状シート２０から引き出したウェットシート２０ａの端部を、取出部１３のシート止めスリット１３ａを介して取出部１３の外側に臨ませて、蓋体１２を容器本体１１に再び装着することにより、ウェットシート２０ａを容器の外に取り出して使用可能な状態とする。しかる後に、図４（ａ）、（ｂ）に示すように、消費者は、取出部１３の外側に臨むウェットシート２０ａの端部を手で持って、ウェットシート２０ａを引き出せば、ウェットシート２０ａは、容器本体１１に収容されたロール状シート２０の中央の中空芯部２１から、最内層のシートが順次引き剥がされるようにして引き出されて、収納容器１０の外に連続して取り出される。取り出されたウェットシート２０ａは、ミシン目等による切り離し案内線の部分で切り離されて、端部をシート止めスリット１３ａに保持させた状態で、一枚一枚の単位シートとして用いることができる。
【００２７】
本実施形態のシート収納容器１０では、ロール状シート２０からウェットシート２０ａを引き出し始めた初期の段階では、ロール状シート２０が相当の重量を保持しているので、中央の中空芯部２１において最内側層のウェットシート２０ａから順次連続して引き剥がす際の抵抗力を、ロール状シート２０によって安定して支持して、スムーズに蓋体１２側に引き出すことが可能である。また、ウェットシート２０ａを引き出し始めた初期の段階でも、取出部１３が、その中心位置Ｃ1を、容器本体１１の中心位置Ｃ2から偏心させた状態で設けられているので、中央の中空芯部２１において最内側層のウェットシート２０ａを、より引き剥がし易くして、内側層のウェットシート２０ａが複数層に重ね合わされたままの状態でまとめて引き出されるのを、効果的に回避することが可能になる。
【００２８】
一方、図５（ａ）、（ｂ）に示すように、例えばある程度の量のウェットシート２０ａが引き出されて、ロール状シート２０が軽くなったり中空芯部２１の内径が大きくなったりすると、最内側層のウェットシート２０ａを引き剥がす際の抵抗力を安定して支持することが難しくなって、ロール状シート２０が容器本体１１の内部で持ち上がったりするなど動き易くなると共に、中空芯部２１から、例えば複数層に重ね合わされたままの状態で内側層のウェットシート２０ａがまとめて引き出されることにより、シート止めスリット１３ａの部分で詰まり易くなって、ウェットシート２０ａを収納容器１０の外にスムーズに取り出すことが困難になる場合がある。
【００２９】
本実施形態のシート収納容器１０によれば、このように容器本体１１に収容されたロール状シート２０か軽くなった場合でも、ロール状シート２０が容器本体１１の内部で動き易くなるのを効果的に抑制すると共に、中空芯部２１から、内側層のウェットシート２０ａが複数層に重ね合わされたままの状態でまとめて引き出されるのを回避して、ウェットシート２０ａを容器の外にスムーズに取り出すことが可能なる。
【００３０】
すなわち、本実施形態のシート収納容器１０によれば、蓋体１２には、上面部１２ａの内側から容器本体１１側に突出して、ロール状シート２０の上端面２０ｂを当接させることが可能な環状当接リブ１６が、取出部１３の外周部分を囲んで設けられており、シート止めスリット１３ａが形成された蓋体１２の取出部１３は、その中心位置Ｃ1を、容器本体１１の中心位置Ｃ2から偏心させた状態で設けられている。
【００３１】
これらによって、本実施形態によれば、ロール状シート２０が軽くなることで、中空芯部２１で最内側層のウェットシート２０ａを引き剥がす際の引き出し力によって、例えばロール状シート２０が引き上げられるようにして上方に移動しようとしても、環状当接リブ１６の下端部が、例えばロール状シート２０における、ウェットシート２０ａが取り出される中央の中空芯部２１から離れた外周領域において、ロール状シート２０の上端面に好ましくは環状に連続して当接することにより、ロール状シート２０が容器本体１１の内部で動き易くなるのを効果的に抑制することが可能になる。また、取出部１３は、その中心位置Ｃ1を、容器本体１１の中心位置Ｃ2から偏心させた状態で設けられているので、環状当接リブ１６に当接させることによってロール状シート２０の動きを抑制したこととの相乗効果により、中空芯部２１において内層側のウェットシート２０ａに全面で張り付いているシートを、シートの上部に張り付いている端部から順次内側方向に引き剥がすようにしながら、斜めに引っ張り出すことが可能になって、ウェットシート２０ａをスムーズに取り出すことが可能になる。
【００３２】
なお、本発明は、上記の実施形態に限定されることなく、種々の変更が可能である。例えば、容器本体は、有底円筒形状を備えている必要は必ずしもなく、楕円断面形状や、その他の断面形状を有する有底筒形状を備えていても良い。環状当接リブは、円環形状を備えている必要は必ずしもなく、楕円断面形状や矩形断面形状等、その他の断面形状を有する環形状を備えていても良い。ロール状シートが軽くなって上方に移動した際に、環状当接リブの下端部は、ロール状シートの上端面において環状に連続して当接する必要は必ずしも無く、上方への移動の仕方によっては、例えばロール状シートが斜めに傾きながら持ち上がることで、その一部のみが当接するようになっていても良い。環状当接リブは、容器本体及び蓋体と同心状に配置されている必要は必ずしも無く、偏心した状態で配置されていても良い。収納されるロール状シートは、液体成分を含侵させたウェットシートを巻回したものである必要は必ずしも無く、液体成分を含侵してないシートや、その他の種々のシート材料をロール状に巻回して形成することもできる。また、蓋体の取出部を覆う上蓋は、上述のようなかぶせ蓋によるものの他、蓋体にネジ嵌合される蓋や、蓋体に対して回転可能にヒンジ連結された蓋等の、公知の種々の蓋を用いることができる。
【符号の説明】
【００３３】
１０  シート収納容器
１１  容器本体
１１ａ  装着筒部
１１ｂ  段部
１２  蓋体
１２ａ  上面部
１２ｂ  縮径部
１２ｃ  装着スリーブ部
１２ｄ  周壁部
１３  取出部
１３ａ  シート止めスリット
１３ｂ  取出開口
１３ｃ  スリット部材係止リブ
１３ｄ  スリット形成部材
１４  上蓋
１６  環状当接リブ
１７  封止リング
２０  ロール状シート
２０ａ  ウェットシート（シート）
２１  中空芯部
Ｃ１  取出部の中心位置
Ｃ２  容器本体の中心位置
【図１】
2020200057.tif 000003
【図２】
2020200057.tif 000004
【図３】
2020200057.tif 000005
【図４】
2020200057.tif 000006
【図５】
2020200057.tif 000007